(57)【要約】【課題】全体が更に清潔になり、化粧が更に安全になり、使用が極めて利便であり、時間を節約可能であり、且つ外蓋を小型化にすることができる容器用内容物排出構造を提供する。【解決手段】内部に収容空間が設けてあり、頂端に開口が外側に向いている出口部が設けてある容器と、固定台と、軸穴が設けてあり、一端が前記内容物排出子にある収容溝に挿入される作動ロッドと、一端に内側に向いている内蓋凹部が形成され、他端に結合部が設けてあり、前記内蓋凹部が前記作動ロッドを覆い可能である内蓋と、少なくとも一つを有し、前記長形穴に摺動可能にそれぞれ設けられ、その一面が前記作動部に固定可能である摺動子と、前記内蓋を挿通して突出している作動ロッドと連結可能であり、前記作動ロッドの軸穴から内容物である液体が流出可能である化粧子と、一端に外蓋凹部が設けてあり、前記外蓋凹部は前記内蓋の外周面を覆い可能である外蓋と、を含む。【選択図】図３
0003135360.tif 000002
【実用新案登録請求の範囲】
【請求項１】
容器と、固定台と、作動ロッドと、内蓋と、摺動子と、化粧子と、外蓋とを含む容器用内容物排出構造において、前記容器は、内部に収容空間が設けてあり、頂端に開口が外側に向いている出口部が設けてあり、前記出口部の内部には内容物を排出するための内容物排出子が設けてあり、前記固定台は、前記容器の出口部の外に設けられ、前記作動ロッドは、軸穴が設けてあり、内容物排出穴を閉塞するために、その一端が前記内容物排出子にある収容溝に挿入され、且つ作動ロッドが前記収容溝の外側に作動したとき、前記内容物排出穴が前記軸穴と連通するようになり、その他端が外側に延びて少なくとも一つの作動部が形成され、前記内蓋は、一端に内側に向いている内蓋凹部が形成され、他端に結合部が設けてあり、前記内蓋凹部が前記作動ロッドを覆い可能であり、且つ前記作動ロッドが他端を突出しており、前記内蓋凹部の外縁に近接する箇所が固定台に固定可能であり、前記作動部に対応する箇所では前記内蓋凹部の作動部と対応する長形穴が開設してあり、前記摺動子は、少なくとも一つを有し、前記長形穴に摺動可能にそれぞれ設けられ、その一面が前記作動部に固定可能であり、内容物排出穴の方向に作動したとき、前記作動ロッドが前記収容溝に挿入されて前記内容物排出穴を閉塞するようになり、前記収容溝の外側に作動したとき、前記内容物排出穴が前記軸穴と連通するようになり、前記化粧子は、前記内蓋を挿通して突出している作動ロッドと連結可能であり、前記作動ロッドの軸穴から内容物である液体が流出可能であり、前記外蓋は、一端に外蓋凹部が設けてあり、前記外蓋凹部は、前記内蓋の外周面を覆い可能であり、且つ前記内蓋と連結し、前記外蓋凹部の内周面が前記摺動子と対応しており、内側に向いている係押部が設けてあり、前記外蓋を被った場合には、前記係押部が摺動子を押付けるようになって、前記摺動子が作動ロッドを駆動して収容溝の内部に移動するようになり、なお、前記外蓋を引き出した場合には、前記係押部が摺動子を引き出して、前記摺動子が作動ロッドを駆動して収容溝の外側に移動するようになることを特徴とする、容器用内容物排出構造。
【請求項２】
前記出口部のなかには内容物排出子が嵌め設けてあり、前記内容物排出子の頂面に収容溝が凹設してあり、前記収容溝の内部に内容物排出穴が開設してあり、前記内容物排出穴が前記収容空間と連通していることを特徴とする、請求項１に記載の容器用内容物排出構造。
【請求項３】
前記内蓋の内蓋凹部から遠ざかった端面に貫通孔が開設してあり、前記貫通孔の両側に剖開溝がそれぞれ設けてあり、前記結合部の両側に弾性ストリップがそれぞれ設けてあり、前記弾性ストリップが前記内蓋の剖開溝に弾性的に入れられて係止され、且つ前記弾性ストリップの外側に押えブロックが固定してあり、前記押えブロックは、前記弾性ストリップを作動して前記弾性ストリップが前記剖開溝と嵌合不能にすることが可能であり、そうすると、結合部が前記内蓋から分離可能になることを特徴とする、請求項１に記載の容器用内容物排出構造。
【考案の詳細な説明】
【技術分野】
【０００１】
本考案は、容器の内容物排出構造に係り、特に、外蓋を開けた後、内容物が自動的に排出可能の容器用内容物排出構造に関するものである。
【背景技術】
【０００２】
目下、化粧ペンは、蓋と、容器とを含むことが一般であり、蓋が容器に螺合可能であるので、蓋の内周面に内ねじが設けてあり、なお、容器の外周面に外ねじが設けてあり、これにより、蓋が容器に螺合可能である。しかしながら、蓋には、内ねじ段を設けることが必要であると共に、化粧子を収容する空間を設けることも必要であり、だから、蓋を小型化にすることができなかった。
【考案の開示】
【考案が解決しようとする課題】
【０００３】
本考案の主な目的は、組付台と化粧子とを卸して洗浄可能であり、全体は更に清潔になることができ、化粧が更に安全になる容器用内容物排出構造を提供することにある。
【０００４】
本考案の次の目的は、外蓋を引き出すだけで化粧可能であり、使用が極めて利便であり、時間を節約可能である容器用内容物排出構造を提供することにある。
【０００５】
本考案の別の目的は、蓋にねじ段を設けることが必要なくなり、蓋を小型化にすることができる容器用内容物排出構造を提供することにある。
【課題を解決するための手段】
【０００６】
上記目的を達成するためになされた本考案は、容器と、固定台と、作動ロッドと、内蓋と、摺動子と、化粧子と、外蓋とを含む容器用内容物排出構造において、前記容器は、内部に収容空間が設けてあり、頂端に開口が外側に向いている出口部が設けてあり、前記出口部の内部には内容物を排出するための内容物排出子が設けてあり、前記固定台は、前記容器の出口部の外に設けられ、前記作動ロッドは、軸穴が設けてあり、内容物排出穴を閉塞するために、その一端が前記内容物排出子にある収容溝に挿入され、且つ作動ロッドが前記収容溝の外側に作動したとき、前記内容物排出穴が前記軸穴と連通するようになり、その他端が外側に延びて少なくとも一つの作動部が形成され、前記内蓋は、一端に内側に向いている内蓋凹部が形成され、他端に結合部が設けてあり、前記内蓋凹部が前記作動ロッドを覆い可能であり、且つ前記作動ロッドが他端を突出しており、前記内蓋凹部の外縁に近接する箇所が固定台に固定可能であり、前記作動部に対応する箇所では前記内蓋凹部の作動部と対応する長形穴が開設してあり、前記摺動子は、少なくとも一つを有し、前記長形穴に摺動可能にそれぞれ設けられ、その一面が前記作動部に固定可能であり、内容物排出穴の方向に作動したとき、前記作動ロッドが前記収容溝に挿入されて前記内容物排出穴を閉塞するようになり、前記収容溝の外側に作動したとき、前記内容物排出穴が前記軸穴と連通するようになり、前記化粧子は、前記内蓋を挿通して突出している作動ロッドと連結可能であり、前記作動ロッドの軸穴から内容物である液体が流出可能であり、前記外蓋は、一端に外蓋凹部が設けてあり、前記外蓋凹部は、前記内蓋の外周面を覆い可能であり、且つ前記内蓋と連結し、前記外蓋凹部の内周面が前記摺動子と対応しており、内側に向いている係押部が設けてあり、前記外蓋を被った場合には、前記係押部が摺動子を押付けるようになって、前記摺動子が作動ロッドを駆動して収容溝の内部に移動するようになり、なお、前記外蓋を引き出した場合には、前記係押部が摺動子を引き出して、前記摺動子が作動ロッドを駆動して収容溝の外側に移動するようになることを特徴とする容器用内容物排出構造であることを要旨としている。
【０００７】
本考案では、前記出口部のなかには内容物排出子が嵌め設けてあり、前記内容物排出子の頂面に収容溝が凹設してあり、前記収容溝の内部に内容物排出穴が開設してあり、前記内容物排出穴が前記収容空間と連通していることを特徴とする請求項１に記載の容器用内容物排出構造であることを要旨としている。
【０００８】
本考案では、前記内蓋の内蓋凹部から遠ざかった端面に貫通孔が開設してあり、前記貫通孔の両側に剖開溝がそれぞれ設けてあり、前記結合部の両側に弾性ストリップがそれぞれ設けてあり、前記弾性ストリップが前記内蓋の剖開溝に弾性的に入れられて係止され、且つ前記弾性ストリップの外側に押えブロックが固定してあり、前記押えブロックは、前記弾性ストリップを作動して前記弾性ストリップが前記剖開溝と嵌合不能にすることが可能であり、そうすると、結合部が前記内蓋から分離可能になることを特徴とする請求項１に記載の容器用内容物排出構造であることを要旨としている。
【考案の効果】
【０００９】
本考案の容器用内容物排出構造によれば、次のような効果がある。
（イ）組付台と化粧子とを卸して洗浄可能であり、全体は更に清潔になることができ、化粧が更に安全になる。
【００１０】
（ロ）外蓋を引き出すだけで化粧可能であり、使用が極めて利便であり、時間を節約可能である。
【００１１】
（ハ）蓋にねじ段を設けることが必要なくなり、蓋を小型化にすることができる。
【考案を実施するための最良の形態】
【００１２】
以下、添付図面を参照して本考案の好適な実施の形態を詳細に説明する。
【００１３】
まず、図１から図５を参照する。本考案の容器用内容物排出構造は、容器１０と、固定台２０と、作動ロッド３０と、内蓋４０と、摺動子５０と、化粧子６０と、外蓋７０と、を含む。
【００１４】
前記容器１０は、内部に液体を収容可能の収容空間１０１が設けてあり、頂端に開口が外側に向いている出口部１１が設けてあり、前記出口部１１に外ねじ１１１が設けてあり、頂端面が前記出口部１１の近傍に設けられ、外側に向いている嵌めブロック１１２が設けてあり、また、前記出口部１１のなかには内容物排出子１２が嵌め設けてあり、前記内容物排出子１２の頂面に収容溝１２１が凹設してあり、前記収容溝１２１の内部に内容物排出穴１２２が開設してあり、前記内容物排出穴１２２が前記収容空間１０１と連通しており、また、前記容器１０は軟性管体でもよく、そうすると、前記出口部１１は軟性管体の開口である。
【００１５】
前記固定台２０は、前記容器１０の出口部１１の外に設けられ、固定穴２１が開設してあり、前記固定穴２１はねじ穴であってもよく、且つ前記固定台２０の底面には、前記固定穴２１の近傍に係りブロック２２が設けてあり、そうすると、前記固定穴２１が出口部１１の上で設けられた場合には、固定台２０にある係りブロック２２が嵌めブロック１１２と嵌合して固定可能である。
【００１６】
前記作動ロッド３０は、軸穴３１が設けてあり、内容物排出穴１２２を閉塞するために、その一端が前記内容物排出子１２にある収容溝１２１に挿入され、且つ作動ロッド３０が前記収容溝１２１の外側に作動したと、前記内容物排出穴１２２が前記軸穴３１と連通するようになり、また、その他端が外側に延びて少なくとも一つの作動部３２が形成され、前記作動部３２は、作動ロッド３０の両側から水平に伸びて前記内容物排出穴１２２の方向に伸びた後、外側に延設し、その端部に接合部３２１が設けてある。
【００１７】
前記内蓋４０は、一端に内側に向いている内蓋凹部が形成され、他端に結合部４２が設けてあり、前記内蓋凹部４１が前記作動ロッド３０を覆い可能であり、且つ前記内蓋凹部４１の外縁に近接する箇所が固定台２０に固定可能であり、前記固定台２０に対応する箇所では嵌合凹部４４が設けてあり、前記結合部４２の前記内蓋４０から遠ざかった一端に溝部４２１が設けてあり、作動部３２が前記溝部４２１を挿通して突出する。
【００１８】
前記内蓋４０は、前記作動部３２１に対応する箇所では前記内蓋凹部４１の作動部３２と対応する長形穴４３が開設してある。
【００１９】
前記摺動子５０は、少なくとも一つを有し、前記長形穴４３に摺動可能にそれぞれ設けられ、その一面が前記作動部３２に固定可能であり、内容物排出穴１２２の方向に作動したと、前記作動ロッド３０が前記収容溝１２１に挿入されて前記内容物排出穴１２２を閉塞するようになり、なお、前記収容溝１２１の外側に作動したとき、前記内容物排出穴１２２が前記軸穴３１と連通するようになり、また、前記摺動子５０は、片状を呈し、長さが前記長形穴４３よりも短く、作動部３２に対向する面に固定部５１が設けてあり、前記固定部５１は接合部３２１と接合して固定可能であり、なお、作動部３２から遠ざかった面には外側に向いている凸縁部５２が設けてある。
【００２０】
前記化粧子６０は、溝部４２１のなかに設けられ、作動ロッド３０と連結し、前記作動ロッド３０の軸穴３１から内容物である液体が流出可能であり、前記化粧子６０の一端には、口紅ヘッドや口紅ブラシなどが設けてある。
【００２１】
前記外蓋７０は、一端に外蓋凹部７１が設けてあり、前記外蓋凹部７１は、前記内蓋４０の外周面を覆い可能であり、且つ前記外蓋凹部７１の外端縁には内側に向いている嵌合凸部７２が設けてあり、前記嵌合凸部７２は前記内蓋４０の嵌合凹部４４と嵌めて固定可能であり、また、前記外蓋凹部７１の内周面の前記摺動子５０と対応する箇所では、内側に向いている係押部７３が設けてあり、前記外蓋７０を被った場合には、前記係押部７３が摺動子５０を押付けるようになって、前記摺動子５０が作動ロッド３０を駆動して収容溝１２１の内部に移動するようになり、且つ前記摺動子５０が移動できなくなる場合には、前記係押部７３が移動して凸縁部５２の前縁と係合可能であり、これにより、前記外蓋７０を引き出した場合には、前記係押部７３が凸縁部５２を逆方向に押付けて、前記摺動子５０が作動ロッド３０を駆動して収容溝１２１の外側に移動するようになる。
【００２２】
次に、本考案の使用方法を詳細に説明する。まず、外蓋７０を引き出すことにより、外蓋７０の係押部７３で摺動子５０の凸縁部５２を押えて、摺動子５０が外蓋７０の引出方向に移動するように長形穴４３の上で摺動し、このとき、摺動子５０が作動ロッド３０を駆動して作動ロッド３０が収容溝１２１の外側に移動し、そうすると、内容物排出穴１２２が軸穴３１と連通するようになり、内容物である液体が軸穴３１から化粧子６０のなかに流入し、これにより、ユーザは化粧をすることができる。
【００２３】
また、本考案を使用しない場合には、外蓋７０を内側に押付けると、係押部７３が摺動子５０の凸縁部５２を押えて、摺動子５０が長形穴４３に沿って外蓋７０の押付方向に移動するようになり、このとき、摺動子５０が作動ロッド３０を駆動して作動ロッド３０が収容溝１２１の内側に移動し、摺動子５０が移動できなくなっても、係押部７３が移動して凸縁部５２の前縁と係合し、これにより、作動ロッド３０が内容物排出穴１２２を閉塞して内容物である液体が流出できなくなる。
【００２４】
また、図６と図７を参照する。図６と図７に示すのは本考案の別の実施例である。本考案の別の実施例は、内蓋８０の結合部９０を分離式にし、他の部分が上記の実施例と同様であり、また、内蓋８０の内蓋凹部８１から遠ざかった端面に貫通孔８３が開設してあり、前記貫通孔８３の両側に剖開溝８４がそれぞれ設けてあり、前記結合部９０の両側に弾性ストリップ９１がそれぞれ設けてあり、前記弾性ストリップ９１が前記内蓋８０の剖開溝８４に弾性的に入れられて係止され、且つ前記弾性ストリップ９１の外側に押えブロック９２が固定してあり、前記押えブロック９２は、前記弾性ストリップ９１を作動して前記弾性ストリップ９１が前記剖開溝８４と嵌合不能にすることが可能であり、そうすると、結合部９０が前記内蓋８０から分離可能になり、また、前記結合部９０の内蓋８０から遠ざかった一端に溝部９３が設けてあり、作動ロッド３０が前記溝部９３に貫入可能であり、これにより、化粧子６０を組付けることができる。
【００２５】
本考案の組付台４６が内蓋４０から分離可能であるので、組付台４６と化粧子６０とを卸して洗浄可能であり、全体は更に清潔になることができ、化粧が更に安全になる。
【００２６】
また、本考案の外蓋７０を内蓋４０に嵌合するだけで、内容物である液体が流出できなくなり、なお、外蓋７０を引き出すだけで、化粧をすることができるので、使用が極めて利便であり、時間を節約可能であり、また、本考案の外蓋７０と内蓋４０とが嵌合方式で結合するので、ねじ段を設けることが必要なくなり、外蓋７０を小型化にすることができる。
【図面の簡単な説明】
【００２７】
【図１】外観斜視図
【図２】分解斜視図
【図３】組合状態の断面図
【図４】作動ロッドの作動を示す概略図
【図５】液体が流出している状態を示す概略図
【図６】別の実施例の分解斜視図
【図７】別の実施例の組合状態の断面図
【符号の説明】
【００２８】
１０      容器
１１      出口部
１２      内容物排出子
２０      固定台
２１      固定穴
２２      係りブロック
３０      作動ロッド
３１      軸穴
３２      作動部
４０      内蓋
４１      内蓋凹部
４２      結合部
４３      長形穴
４４      嵌合凹部
４６      組付台
５０      摺動子
５１      固定部
５２      凸縁部
６０      化粧子
７０      外蓋
７１      外蓋凹部
７２      嵌合凸部
７３      係押部
８０      内蓋
８１      内蓋凹部
８３      貫通孔
８４      剖開溝
９０      結合部
９１      弾性ストリップ
９２      押えブロック
９３      溝部
１０１    収容空間
１１１    外ねじ
１１２    嵌めブロック
１２１    収容溝
１２２    内容物排出穴
３２１    接合部
４２１    溝部
【図１】
0003135360.tif 000003
【図２】
0003135360.tif 000004
【図３】
0003135360.tif 000005
【図４】
0003135360.tif 000006
【図５】
0003135360.tif 000007
【図６】
0003135360.tif 000008
【図７】
0003135360.tif 000009